(57)【要約】　　　（修正有）【課題】封緘副資材を使用せずに容易に箱底の組立ができ、底抜けし難い底面ロック構造を提供する。【解決手段】箱の長さ面を構成する一対の側板１１の底縁にそれぞれ対向して内側に折り込まれる一対の底板１５が設けられ、幅面を構成する一対の端板の底縁にそれぞれ対向して内側に折り込まれる一対の底フラップ１６が設けられ、一対の底板と一対の底フラップとを重ね合わせて底面を封止するロック構造において、底板に、左右方向に一対の直線状係合穴２０を開設し、一方底フラップの両側縁に、左右方向に延びる切込線２１と、その切込線の終端部を起点として底フラップの先端に向かって延びる左右一対の折り目２５を設けて、底フラップの両側に係合穴に挿入される差込片２３とその下端に折り目を介して差込ロック片２４を連設し、係合穴の長さＡは差込片の長さＸよりも若干長く、また差込ロック片の長さＹは、Ｘ≧Ｙに関係を有するように形成する。【選択図】　　　図１
2004001869.tif 000002
【特許請求の範囲】
【請求項１】
箱の長さ面を構成する一対の側板の底縁にそれぞれ対向して内側に折り込まれる一対の底板が設けられ、幅面を構成する一対の端板の底縁にそれぞれ対向して内側に折り込まれる一対の底フラップが設けられ、前記一対の底板と一対の底フラップとを重ね合わせて底面を封止するロック構造において、
前記底板に、左右方向に一対の直線状係合穴を開設し、一方、前記底フラップの両側縁に、左右方向に延びる切込線と、その切込線の終端部を起点として底フラップの先端に向かって延びる左右一対の折り目を設けて、該底フラップの両側に前記係合穴に挿入される差込片とその下端に折り目を介して差込ロック片を連設し、
前記直線状係合穴の長さＡは差込片の長さＸよりも若干長く、また差込ロック片の長さＹは、Ｘ≧Ｙに関係を有するように形成され、
底面の封止時に、差込片に折り重ねた差込ロック片とを一緒に係合穴に挿入すると、差込ロック片は、差込片との折り目から素材自らの復元力により反発して広がり、差込ロック片が箱の内側に係止されることを特徴とする包装箱の底面ロック構造。
【請求項２】
箱の長さ面を構成する一対の側板の底縁にそれぞれ対向して内側に折り込まれる一対の底板が設けられ、幅面を構成する一対の端板の底縁にそれぞれ対向して内側に折り込まれる一対の底フラップが設けられ、前記一対の底板と一対の底フラップとを重ね合わせて底面を封止するロック構造において、
前記底板に、左右方向に一対の鉤形係合穴を開設し、一方、前記底フラップの両側縁に、左右方向に延びる切込線と、その切込線の終端部を起点として底フラップの先端に向かって延びる左右一対の折り目を設けて、該底フラップの両側に前記係合穴に挿入される差込片とその下端に折り目を介して差込ロック片を連設し、
前記鉤形係合穴の長さＡは差込片の長さＸよりも若干長く、また、前記鉤形係合穴のかぎ部の長さＢは、差込ロック片２４の長さＹより若干長く形成され、
底面の封止時に、差込片と差込ロック片とを一緒に鉤形係合穴に挿入すると、差込ロック片は、差込片との折り目から素材自らの復元力により反発して広がり、差込ロック片が箱の内側に係止されることを特徴とする包装箱の底面ロック構造。
【発明の詳細な説明】
【０００１】
【発明の属する技術分野】
本発明は、主として野菜や果実などの農産物を運搬する包装箱の底面のロック構造に関する。
【０００２】
【従来の技術】
従来、青果物を出荷する場合、生産者サイドで一度に多数の箱を組立て、これに荷詰めして出荷されるので組立てが容易なＪＩＳ−Ｚ１５０７の０２０１形式（旧Ａ−１形）の段ボール箱が多用されている。
この箱は、長方形状の４側板を一方向に連接し、箱の底面及び天面を封鎖するため、底面に底板及び底フラップを、また天面には天板及び天フラップを連接してなるほぼ直方体形状の箱であり、組立に際しては、連接した４枚の側板を角筒状に連結し、底板及び底フラップを箱の内側に折り曲げ、重ねあわせた部分をステープルと呼ばれる金具を専用マシンで打ち込んでジョイントするか、あるいは底板と底フラップとにまたがるようにテープを貼着して底止めしていた。
【０００３】
しかし、段ボール箱を使用する農産物の生産者からは、封緘材をしない包装箱組立て作業及び組立てコストの低減化、組立作業の安全性向上などが、また流通、小売業者などからは、使用後の処理に伴う環境問題の解決、廃棄作業の軽減化等の要望されている。
ところが、ステープル方式による底のジョイント作業は、底組みの都度、ステープルとステープル打込みマシンを用意する必要があるが、ステープル打ち込みマシンは、重くて力を要するので非力の人間には取り扱いが大変であり、労力とコストが嵩む問題がある。また、商品を取り出した後使用済みの箱を廃棄処分する場合、分解も簡単ではなく、金属であるステープルが混入したままであると、分解するときあるいは集積作業時にけがをする危険性を有している。ゴミ減量のため使用済みの箱を古紙として再利用する場合にあっても、ステープルが不純物となるので分別し除去する作業が必要であり、処理コストがかさむ問題がある。
一方、底止めのために粘着テープを貼着する方式も手間がかかり、テープが剥がしずらく、省力化の点で満足できるものではない。使用済みの箱を古紙として再利用する場合にあっても、ステープルを使用したときと同様、テープを不純物として箱から分別するのに手間がかかるという不具合がある。
【０００４】
こうしたことから、ステープルおよび粘着テープなどの封緘副資材を使用しないで、箱の底を閉止できる機能の高い箱が求められている。副資材を用いないで底を閉止できる段ボール箱として、従来、例えば特許第３０５６７３７号の発明が知られている。
上記箱の底面のロック方式は、底フラップの先端部両側縁を切り込んで差込片を設け、底板に設けたコ字状の切込を設けてその内側を抑制片とし、前記差込片をコ字状の切込に差し込み、箱の内部に突出した差込片が内容物に押されて折れ曲がることにより抜けにくくしたものであった。しかし、前記差込片は内容物に押されて折れ曲がることにより抜けにくくしたものであるため、差込片は折れ曲がりの角度が浅いとコ字状の切込から抜けやすく、また、重い内容物により、底板と底フラップの両方が撓んで、差込片が切込から抜け落ち、底抜けするという問題が指摘されていた。
【０００５】
【発明が解決しようとする課題】
本発明の目的は、テープやステープル等の封緘副資材を使用せずに容易に底の組立ができ、さらに底抜けし難い丈夫な箱底を形成できるとともに、使用後の解体作業などでの安全性と簡便性の要求に応え、使用後の環境問題も解決できる包装箱の底面ロック構造を提供するものである。
【０００６】
【課題を解決するための手段】
上記課題を解決するために本発明の箱は、次のような手段を採用した。
本発明の第１は、包装箱の長さ面を構成する一対の側板の底縁にそれぞれ対向して内側に折り込まれる一対の底板が設けられ、幅面を構成する一対の端板の底縁にそれぞれ対向して内側に折り込まれる一対の底フラップが設けられ、前記一対の底板と一対の底フラップとを重ね合わせて底面を封止するロック構造において、
前記底板に左右方向に一対の直線状係合穴を開設し、一方、前記底フラップの両側縁に、左右方向に延びる切込線と、その切込線の終端部を起点として底フラップの先端に向かって延びる左右一対の折り目を設けて、該底フラップの両側に前記係合穴に挿入される差込片とその下端に折り目を介して差込ロック片を連設し、
前記係合穴の長さＡは差込片の長さＸよりも若干長く、また差込ロック片２４の長さＹは、Ｘ≧Ｙに関係を有するように形成され、
底面の封止時に差込片に折り重ねた差込ロック片とを一緒に係合穴に挿入すると、差込ロック片は、差込片との折り目から素材自らの復元力により反発して広がり、差込ロック片が箱の内側に係止されることを特徴とする。
【０００７】
また、本発明の第２は、包装箱の長さ面を構成する一対の側板の底縁にそれぞれ対向して内側に折り込まれる一対の底板が設けられ、幅面を構成する一対の端板の底縁にそれぞれ対向して内側に折り込まれる一対の底フラップが設けられ、前記一対の底板と一対の底フラップとを重ね合わせて底面を封止するロック構造において、
前記底板に左右方向に一対の鉤形係合穴を開設し、一方、前記底フラップの両側縁に、左右方向に延びる切込線と、その切込線の終端部を起点として底フラップの先端に向かって延びる左右一対の折り目を設けて、該底フラップの両側に前記係合穴に挿入される差込片とその下端に折り目を介して差込ロック片を連設し、
前記鉤形係合穴の長さＡは差込片の長さＸよりも若干長く、また、かぎ部の長さＢは、差込ロック片２４の長さＹより若干長く形成され、
底面の封止時に、差込片と差込ロック片とを一緒に鉤形係合穴に挿入すると、差込ロック片は、差込片との折り目から素材自らの復元力により反発して広がり、差込ロック片が箱の内側に係止されることを特徴とする。
【０００８】
【発明の実施の形態】
次に、本発明の実施の形態を図面に基づいて説明する。なお実施例では、青果物を出荷する場合に好適な通気性を有した箱について説明する。
図１は、第１の実施例を示す段ボール箱を構成するための組立て前の段ボールシート（ブランク）を示すものであり、このブランク１０は、ワンピースのほぼ長方形をなす段ボールシートより形成されている。しかし、身と蓋は別途のピースにより作成し２ピースとしてもよい。材料として段ボールに代え板紙により形成することも可能である。
【０００９】
本実施の形態に示す箱は、前記段ボールブランク１０の中央部に、２組の対向する各側面のうち長さ方向の面（長さ面）を構成する一対の側板１１、１１と、幅方向の面（幅面）を構成する一対の端板１２，１２を、折線を介し一方向に連接し、前記側板１１、１１には、通気性を確保するための通気穴１３が開設され、また、前記端板１２，１２にはその中央部に手掛け穴１４が設けられている。
【００１０】
長さ面を構成する一対の側板１１、１１は、その底縁にそれぞれ底板１５、１５を連接し、幅面を構成する一対の端板１２，１２にはその底縁にそれぞれ底フラップ１６、１６を連接している。
一方、前記一対の側板１１、１１の天縁には天板１７、１７を、端板１２，１２の天縁には天フラップ１８、１８を連接している。
【００１１】
本実施形態において、天板１７および天フラップ１８の長さ方向の寸法Ｆ１は、箱の幅面を構成する側板１２の幅方向寸法Ｗの１／２よりも短い長さに形成されている（ショートフラップとする）ため、箱の組立時に、天板１７と天フラップ１８を重ね合せて箱の天面を封緘するとき、天面に換気に好適な矩形の開口窓が形成される。
底板１５および底フラップ１６の長さ方向の寸法Ｆ２は、箱の幅面を構成する側板１２の幅方向寸法Ｗの１／２の長さに形成されているので、箱底面を閉じるときは、底板１５、１５の先端部分が突き合わせになり、底面全面が閉塞される。
なお、底板１５と底フラップ１６の長さ方向の寸法Ｆ２は、箱の幅面を構成する側板１２の幅方向寸法Ｗの１／２の長さより長くなるように形成しても良い。その場合には、底面を閉じたときに、底板１５の先端が互いに重なりあう（オーバーラップする）こととなる。
なお符号１９は側板１１の端部に連接したつなぎ代である。
【００１２】
ところで、底フラップ１６には左右両側縁のほぼ中央部から反対側の側縁の方向に左右方向に延びる一対の切込線２１、２１を設け、その各切込線２１の終端部２１ａを起点とし、底フラップの先端部（下縁）に向かって延びる左右一対の折り目２２，２２を設けることで、底フラップ１６の両側に差込片２３が形成されている。この差込片２３の下部には、前記切込線２１と平行な折り目２５と、折り目２２と一直線状をなす切り溝２６を設けることで、差込ロック片２４が形成される。この差込ロック片２４は、折り目２５を介して、差込片本体２３側に曲折可能になっている。
【００１３】
なお底板１５には、前記差込片２３と対応するように、左右一対の係合穴２０が切込線２１と略おなじ高さで、直線状に形成され、底の組立時に差込片２３が係合穴２０に挿入できるようになっている。
因みに係合穴２０の長さＡは、差込片２３の長さＸよりも若干長く、また差込ロック片２４の長さＹは、Ｘ≧Ｙに関係を有するように形成されている。
【００１４】
この段ボールブランク１０は、つなぎ代１９と側板１２とを貼着して、胴部を扁平に折り畳んだ状態で保管しておき、底面の組み立てに際しては、図２〜３に示すように、４枚の側板１１、１１、端板１２、１２を角筒状に起こし、底面フラップ１６が底板１５の外側にくるように底板と底フラップを重ね合わせる。すなわち、底板１５、１５を内側に折り曲げてから、底フラップ１６、１６の差込片２３を折り目２２を介して直角に折り曲げ、更に差込ロック片２４を折り目２５を介して１８０度内側に折り曲げる。この状態で、底フラップ１６を端板１２との境界線より折り曲げる。続いて、図４に示すように、折り重ねた差込ロック片２４と一緒に、差込片２３を係合穴２０に挿入する。底フラップ１６と底板１５とが完全に重なると、差込片２３と、折り重ねた差込ロック片２４は箱の内側に完全に入りこむと同時に、差込ロック片２４は、その折り目２５から素材（段ボール）自らの復元力により反発して広がることとなる。その結果、差込片２３は、差込ロック片２４により係合穴２０内面（箱の内側）に係止される。
従って、箱内に内容物を入れるときに内容物が当たって差込片２３が押し下げられ、係合穴２０から差込片２３が抜けるようなことがない。また箱内に詰め込んだ内容物に押されて差込片２３と、差込ロック片２４は倒伏することにより抜けにくくなる。（図５参照）。
このように箱内に野菜等を収容したとき、その重みにより底板１５および底フラップ１６が押し下げられ撓んでも、差込ロック片２４が底面を確実にロックするため、底面の内外フラップの重ね合せ部をステープルでジョイントして底面を閉じた場合と同様に、箱の底抜けを完全に防止できる。
【００１５】
なお、使用後に底を解体するときは、差込ロック片２４を差込片２３に折り重ね、差込片２３を底面フラップからから垂直に引き起こし、差込片２３を係合穴２０から抜けば、ロックが外れ、底面が開き、容易に解体することができる。
【００１６】
図６は、本発明の他の実施形態である段ボールブランクを示すものである。本実施例に示す箱も、長さ方向の面（長さ面）を構成する一対の側板１１、１１と、幅方向の面（幅面）を構成する一対の端板１２，１２を、折線を介し一方向に連接し、前記側板１１、１１には、通気性を確保するための通気穴１３が開設され、また前記端板１２，１２の中央部に手掛け穴１４が設けられている。長さ面を構成する一対の側板１１、１１は、その底縁に底板１５、１５を連接し、幅面を構成する一対の端板１２，１２は、その底縁に底フラップ１６、１６を連接している。また、前記一対の側板１１、１１の天縁には天板１７、１７を、端板１２，１２の天縁には天フラップ１８、１８を連接している。以下、異なる点につき説明する。
【００１７】
この実施形態のものは、天板１７に凸形の差込ロック片１７ａを設け、天フラップ１８に一対のＶ形切欠１８ａと、ハの字形の切れ目１８ｂと、両者を結んだ位置に折り目１８ｃとを設けることで、ステープルを使用せずに天面の封緘が可能にしたものである。第１の実施例と同様に、天板１７、天フラップ１８をショートフラップとしても良い。
底板１５には、第１の実施例で示した直線状の左右一対の係合穴２０に代えて、鈎形をした一対の係合穴２７を設けている。この鉤形係合穴２７の長さＡは、後記の差込片本体２３の長さＸよりも若干長く、かぎ部２７ａの長さＢは、差込ロック片２４の長さＹより若干長く形成されている。
底フラップ１６の左右両側縁に切込線２１と折り目２２により設ける差込片２３と、差込ロック片２４の構成は、第１の実施例と同じであるから同一符号を付し説明は省略する。
【００１８】
次に、この実施例の底面ロックの方法を説明する。まず、２枚の底板１５を内側に折り曲げた後、図７に示すように、差込片２３を底フラップ１６に対し直角に折り曲げ、さらに差込ロック片２４を折り目２５にから直角に曲げる。つぎ、底フラップ１６を底板１５の上に折り重ねると同時に、差込片２３を鉤形係合穴２７に、差込ロック片２４をかぎ部２７ａに挿入する。底フラップ１６と底板１５とが完全に重なると、差込片２３と、差込ロック片２４は箱の内側に完全に入りこむと同時に、差込ロック片２４は、その折り目２５から素材（段ボール）自らの復元力により反発して広がることとなる。その結果、差込片２３は、差込ロック片２４により係合穴２０内面（箱の内側）に係止される。
したがって、箱内に内容物を入れるときに、内容物が当たって差込片２３が押し下げられ、係合穴２０から差込片２３が抜けるようなことがない。また箱内に詰め込んだ、内容物に押されて差込片２３と、差込ロック片２４は倒伏することにより抜けにくくなる。（図８参照）。
このように箱内に野菜等を収容したとき、その重みにより底板１５および底フラップ１６が押し下げられ撓んでも、差込ロック片２４が底面を確実にロックするため、底面の内外フラップの重ね合せ部をステープルでジョイントして底面を閉じた場合と同様に、箱の底抜けを完全に防止できる。
【００１９】
【発明の効果】
以上説明したように本発明は、長さ面を構成する一対の側板の底縁に底板１５、１５を連接し、幅面を構成する一対の端板の底縁に底フラップ１６、１６を連接して、前記底板には直線状または鉤状の左右一対の係合穴２０または２７を設け、底フラップの両側縁には水平に延びる一対の切込線２１、２１を設け、その各切込線２１の終端部２１ａを起点とし、底フラップの先端部（下縁）に向かって延びる左右一対の折り目２２，２２を設けることで、底フラップ１６の両側に前記係合穴の挿入される差込片２３を設け、該差込片の一端に折り目２５を介して前記係合穴の係止される差込ロック片２４を張設したから、差込片２３が箱内に詰め込んだ内容物に押されて抜けるようなことがない。また内容物の重みにより底板１５および底フラップ１６が押し下げられ撓んでも、差込ロック片２４が箱の底面を確実にロックするため、底面の重ね合せ部をステープルでジョイントして底面を閉じた場合と同様に、強力に箱の底面をロックできる。
【図面の簡単な説明】
【図１】本発明の第１の実施形態に係る底面ロック構造を採用した段ボール箱のブランクを示す平面図である。
【図２】同上実施形態の箱の底面組立途中の斜視図である。
【図３】同上実施形態の差込片を底板の直線状係合穴に挿入直前の斜視図である。
【図４】同上実施形態の差込片挿入直後における状態を底面内側から見た斜視図である。
【図５】同上実施形態の差込片の倒伏状態を底面内側から見た斜視図である。
【図６】本発明による第２の実施形態のブランクを示す平面図である。
【図７】同上実施形態における差込片を底板の鉤形係合穴に挿入直前の組立て斜視図である。
【図８】同上実施形態における差込片の倒伏状態を底面内側から見た斜視図である。
【符号の説明】
１０、３０　ブランク
１１　側板
１２　端板
１３　通気穴
１４　手掛け穴
１５　底板
１６　底フラップ
１７　天板
１８　天フラップ
１９　つなぎ代
２０　直線状係合穴
２７　鉤形係合穴
２７ａ　かぎ部
２１　切込線
２２　折り目
２３　差込片
２４　差込ロック片
２５　折り目
２６　切り溝
【図１】
2004001869.tif 000003
【図２】
2004001869.tif 000004
【図３】
2004001869.tif 000005
【図４】
2004001869.tif 000006
【図５】
2004001869.tif 000007
【図６】
2004001869.tif 000008
【図７】
2004001869.tif 000009
【図８】
2004001869.tif 000010